(57)【要約】【課題】複数の保安対策手段を組み合わせて、効果的な保安効果を得ることのできるキーシステムを提供する。【解決手段】キー部２が、キー本体４、および固有信号を発信可能なトランスポンダ６が設けられた手元部５を備え、キーシリンダ部３が、キー本体４が挿入されるキー孔８、トランスポンダ６との間で信号の送受信を行うアンテナ９、キー孔８に対するキー本体４の挿入を遮断可能な開閉シャッター１０、およびアンテナ９とトランスポンダ６との間で行われる信号の送受信制御と開閉シャッター１０の開閉制御とを行う制御手段とを備え、制御手段が、トランスポンダ６からアンテナ９に送信された固有信号が正当な信号であると判定した場合、キー孔８に対するキー本体４の挿入が可能となるように開閉シャッター１０を開かせる。【選択図】　図１
2004084249.tif 000002
【特許請求の範囲】
【請求項１】
キー部とキーシリンダ部とで構成されるキーシステムであって、
前記キー部が、キー本体、および固有信号を発信可能なトランスポンダが設けられた手元部を備え、
前記キーシリンダ部が、前記キー本体が挿入されるキー孔、前記トランスポンダとの間で信号の送受信を行うアンテナ、前記キー孔に対する前記キー本体の挿入を遮断可能な開閉シャッター、および前記アンテナと前記トランスポンダとの間で行われる信号の送受信制御と前記開閉シャッターの開閉制御とを行う制御手段とを備え、
前記制御手段が、前記トランスポンダから前記アンテナに送信された前記固有信号が正当な信号であると判定した場合、前記キー孔に対する前記キー本体の挿入が可能となるように前記開閉シャッターを開かせるキーシステム。
【請求項２】
前記アンテナが、前記キー本体が前記キー孔に挿入された状態で、前記トランスポンダの周囲を取り囲むように設けられている請求項１に記載のキーシステム。
【請求項３】
前記キー孔を照射可能な照明装置を更に備え、前記制御手段が、前記トランスポンダから前記アンテナに送信された前記固有信号が正当な信号であると判定した場合、前記照明装置をオン状態にする請求項１または請求項２に記載のキーシステム。
【発明の詳細な説明】
【０００１】
【発明の属する技術分野】
本発明はキー部とキーシリンダ部とで構成され、不正な開錠に対する保安機能を有するキーシステムに関する。
【０００２】
【従来の技術】
従来から、不正なキーによる開錠を防止するためにイモビライザシステムと呼ばれるキーシステムが提供されている。従来のイモビライザシステムでは、キー本体をキーシリンダ部のキー孔に挿入することで、キーシリンダ部に設けられたコイルとキー部に設けられたコイルとの間で磁気回路が形成され、更にキーシリンダ部のコイルから送信される電磁信号に応答してキー部で発生した固有の信号をキーシリンダ部で受信して、その固有信号が正当な信号である場合にのみ開錠を許可するように構成されている（例えば、特許文献１を参照）。
【０００３】
図７に示すのは従来型のイモビライザシステムにおけるキー部とキーシリンダ部との関係を概略的に説明する図である。キー部２０は、手元部２１とキー本体２２とで構成され、手元部２１にはキー側コイル（トランスポンダ）２３が設けられている。キーシリンダ部３０は、キー孔３１の周囲にキーシリンダ側コイル（アンテナ）３２が設けられて構成されている。また、図示しないが、キーシリンダ側コイル３２からキー側コイル２３への信号送信を制御し、その信号に応答してキー側コイル２３からキーシリンダ側コイル３２へ返される固有信号を受信して、解析する制御手段がキーシリンダ部３０には設けられている。従って、図７に示すように、キー部２０がキーシリンダ部３０のキー孔３１に挿入されると、キー側コイル２３とキーシリンダ側コイル３２との間で磁気回路が形成され、上述したような両者の間での信号のやりとりが行われることで、開錠が可能となる。
【０００４】
他にも、キーシリンダ部のキー孔を開閉式のシャッターで覆うことで開錠を防止するようなキーシステムもある（例えば、特許文献２を参照）。その場合、入力手段（ボタンキー）によって正当なボタン入力が行われた場合にのみシャッターを開けて、キー孔に対してキーを挿入することができるように構成されている。
【０００５】
【特許文献１】
特公平４−１５１４１号公報（第２頁、第１図）
【０００６】
【特許文献２】
特開２００１−１２１１８号公報（図１、図２）
【０００７】
【発明が解決しようとする課題】
このように、不正な者によるキーシステムの開錠を防止するために、イモビライザシステムや、開閉シャッターなどの様々な保安対策が提案されているのだが、複数の保安対策手段が連動するように組み合わされたキーシステムは提案されていない。
【０００８】
本発明は上記の問題点に鑑みてなされたものであり、その目的は、複数の保安対策手段を組み合わせて、効果的な保安対策を実施することのできるキーシステムを提供する点にある。
【０００９】
【課題を解決するための手段】
上記課題を解決するための本発明に係るキーシステムの第一の特徴構成は、特許請求の範囲の欄の請求項１に記載の如く、キー部とキーシリンダ部とで構成されるキーシステムであって、前記キー部が、キー本体、および固有信号を発信可能なトランスポンダが設けられた手元部を備え、前記キーシリンダ部が、前記キー本体が挿入されるキー孔、前記トランスポンダとの間で信号の送受信を行うアンテナ、前記キー孔に対する前記キー本体の挿入を遮断可能な開閉シャッター、および前記アンテナと前記トランスポンダとの間で行われる信号の送受信制御と前記開閉シャッターの開閉制御とを行う制御手段とを備え、前記制御手段が、前記トランスポンダから前記アンテナに送信された前記固有信号が正当な信号であると判定した場合、前記キー孔に対する前記キー本体の挿入が可能となるように前記開閉シャッターを開かせる点にある。
【００１０】
上記課題を解決するための本発明に係るキーシステムの第二の特徴構成は、特許請求の範囲の欄の請求項２に記載の如く、上記第一の特徴構成に加えて、前記アンテナが、前記キー本体が前記キー孔に挿入された状態で、前記トランスポンダの周囲を取り囲むように設けられている点にある。
【００１１】
上記課題を解決するための本発明に係るキーシステムの第三の特徴構成は、特許請求の範囲の欄の請求項３に記載の如く、上記第一または第二の特徴構成に加えて、前記キー孔を照射可能な照明装置を更に備え、前記制御手段が、前記トランスポンダから前記アンテナに送信された前記固有信号が正当な信号であると判定した場合、前記照明装置をオン状態にする点にある。
【００１２】
以下に作用並びに効果を説明する。
本発明に係るキーシステムの第一の特徴構成によれば、上記トランスポンダから上記アンテナに対して送信された固有信号が正当な信号である場合にのみ、上記開閉シャッターを開かせ、キー孔に対するキー本体の挿入を許可することで、キー孔を不正な者から保護することができる。
【００１３】
本発明に係るキーシステムの第二の特徴構成によれば、上記アンテナが、上記キー本体が上記キー孔に挿入された状態で、上記キー部の手元部の周囲を取り囲むように設けられている、つまり、トランスポンダが設けられている手元部がキー孔に挿入されるキー本体の先端よりに設けられているので、開閉シャッターが閉じられている状態で、キー本体をキー孔に近づけた際のトランスポンダとアンテナとの距離を短くすることができ、結果として両者の通信状態を良好にすることができる。
【００１４】
本発明に係るキーシステムの第三の特徴構成によれば、上記キーシリンダ部が、上記キー孔を照射可能な照明装置を更に備え、上記制御手段が、上記トランスポンダから上記アンテナに送信された上記固有信号が正当な信号であると判定した場合、上記照明機器をオン状態にすることで、キー部を所有する人物がキー本体のキー孔への挿入を試みた際にキー孔を照らし出して、キー孔へのキー本体の挿入を容易なものにすることができる。
【００１５】
【発明の実施の形態】
図１に示すのはキー部２とキーシリンダ部３とで構成されるキーシステム１の斜視図である。キー部２は、キー本体４と、固有信号を発信可能なトランスポンダ６が設けられた手元部５とを備えて構成される。キーシリンダ部３は、キー本体４が挿入されるキー孔８（キーシリンダ７）と、トランスポンダ６との間で信号の送受信を行うアンテナ９と、キー孔８（キーシリンダ７）に対するキー本体４の挿入を遮断可能な開閉シャッター１０とを備えてなる。ここで、キーシリンダ７とアンテナ９と開閉シャッター１０とは、上蓋部１２および台座部１１に装着されて構成される。尚、図示しないが、アンテナ９は、送受信回路とコイルとで構成され、トランスポンダ６は、送受信回路とコイルと固有信号を記憶したＩＣとで構成される。尚、本発明に係るキーシステム１は様々な設備に装着可能であり、例えば、住宅の玄関錠や自動車のイグニッションキー用としても使用できる。
【００１６】
図２に示すのは、図１に示したキーシステム１の機能ブロック図である。
まず、制御手段１３はアンテナ９から電磁信号を送信させる機能を有している。トランスポンダ６のコイルとアンテナ９のコイルとが近接することで磁気回路が形成された状態で、アンテナ９からトランスポンダ６へ電磁信号が送信された場合、トランスポンダ６では、ＩＣが記憶している固有信号をアンテナ９側に発信する。アンテナ９で受信されたトランスポンダ６からの固有信号は制御手段１３において認証処理され、その固有信号が正当であると認証された場合には、駆動手段１４を動作させて開閉シャッター１０を開かせる。その結果、キー孔８に対するキー本体４の挿入が可能となる。
【００１７】
図３に示すのは、図１に示したキーシリンダ部３から上蓋部１２を取り外した状態を示す分解斜視図である。図示するように、開閉シャッター１０がキーシリンダ８側につまみ部分を持って押し込まれると、バネ部１５が開閉シャッター１０の引掛部１０ａに引掛り、開閉シャッター１０が閉じられた状態で固定される。制御手段１３からの指令で汎用のリニアＤＣソレノイドなどの駆動手段１４が動作した場合、バネ部１５が駆動手段１４側に移動することで、バネ部１５と引掛部１０ａとが引っ掛かった状態が解除されると共に、バネ部１６が伸びて開閉シャッター１０が外側に移動し、開閉シャッター１０が開かれた状態となる。
【００１８】
図４（ａ）に示すのは、開閉シャッター１０が閉じられた状態でのキー部２とキーシリンダ部３との位置関係であり、図４（ｂ）に示すのは、開閉シャッター１０が開かれ、キー本体４がキー孔８に挿入された状態でのキー部２とキーシリンダ部３との位置関係である。また、図４（ｃ）には比較例として、図７に例示したようなキー部２０とキーシリンダ部３との位置関係が、本発明のキーシステムにおける開閉シャッターが設けられた場合にどのようになるのかを予測した図を示す。
【００１９】
図４（ａ）に示すように、開閉シャッター１０が閉じられている状態ではキー本体４をキー孔８に挿入することはできず、キー部２のトランスポンダ６とキーシリンダ部３のアンテナ９との間には破線矢印で示すような間隔が存在する。図２を参照して説明したように、アンテナ９は制御手段１３からの指令の下に電磁信号を送信しており、トランスポンダ６とアンテナ９との間が近接するほど、トランスポンダ６において受信されるアンテナ９からの電磁信号の強度、およびアンテナ９において受信されるトランスポンダ６からの固有信号の強度が大きくなるという利点がある。そして、アンテナ９によって受信された固有信号が制御手段１３において認証された場合には、図４（ｂ）に示すように開閉シャッター１０が開かれ、キー孔８に対するキー本体４の挿入が可能となる。
【００２０】
図４（ｃ）に示す比較例では、キー本体２２の長さが、キー孔８の深さに加えて、上蓋部１２の厚さとアンテナ９の厚さとの合計以上の長さである必要があり、開閉シャッター１０が閉じられている状態ではキー本体２２をキー孔８に挿入することはできず、キー部２０のトランスポンダ２３とキーシリンダ部３のアンテナ９との間には破線矢印で示すように、図４（ａ）に示した間隔よりも広い間隔が存在する。
【００２１】
図４（ｂ）に図示するように、本発明に係るキーシステム１では、キー本体４がキー孔８に挿入された状態で、アンテナ９がトランスポンダ６の周囲を取り囲むように設けられており（つまり、トランスポンダ６が設けられている手元部５がキー本体４の先端よりに設けられており）、キー本体４の長さはキー孔８の深さ以上の長さがあればよい。キー本体の長さが短くてもよいということは、図４（ａ）に示すように、開閉シャッター１０が閉じられた状態で、トランスポンダ６とアンテナ９との間の距離をより短くすることができるということであり、それは、制御手段１３によるトランスポンダ６からの固有信号の検出感度が向上するということに至る。つまり、本発明に係るキーシステム１では、アンテナ９が、キー本体４がキー孔８に挿入された状態で、トランスポンダ６の周囲を取り囲むように設けられたことで、制御手段１３によるトランスポンダ６からの固有信号の検出感度が向上するという効果が得られる。
【００２２】
＜別実施形態＞
＜１＞
図５（ａ）に示すのはキーシリンダ部４０の斜視図であり、図１を参照して説明したキーシリンダ部３に加えて、キー孔８を照射可能な照明装置１７を更に備えて構成されている。この照明装置１７は、図５（ｂ）に示すように制御手段１３からのオン・オフ指令によって制御されるような装置であり、例えば、ＬＥＤ（発光ダイオード）などが利用可能である。この照明装置１７をオン状態にする制御は、上述したような開閉シャッター１０を開かせる制御と同様であり、制御手段１３が、トランスポンダ６からアンテナ９に送信された固有信号が正当な信号であると判定した場合に、制御手段１３からの指令に従って照明装置１７がオン状態にされる。このように、正当なキー部２（トランスポンダ６）がキーシリンダ部４０に近接した場合に、開閉シャッター１０を開かせると共にキー孔８を照明装置１７で照射可能に構成することで、キー部２を使用してキーシステムの開錠を行おうとする者の開錠操作を支援することができる。
【００２３】
＜２＞
上述の実施形態では、ソレノイドを例に挙げて駆動手段１４の説明を行ったが、駆動手段１４は制御手段１３の指令を受けて開閉シャッター１０の開閉動作を実行できるものであれば他の装置が使用可能である。
図６に示すのは、モータ１８とギア１９とを備えてなる駆動手段１４’を使用して開閉シャッター１０’を回転運動により開閉させ、キー孔８に対するキー本体の挿入を遮断可能に構成した場合の例である。駆動手段１４’に対する動作指令は、上述の実施形態と同様に、アンテナ９で受信されたトランスポンダ６からの固有信号が正当である場合に制御手段１３から駆動手段１４’に対して送信されるため、不正なキーを有する者により開錠されることがない。
【図面の簡単な説明】
【図１】本発明に係るキーシステムの斜視図である。
【図２】本発明に係るキーシステムの機能ブロック図である。
【図３】本発明に係るキーシステムの分解斜視図である。
【図４】本発明に係るキーシステムの断面図である。
【図５】（ａ）は、本発明に係る別のキーシステムの斜視図であり、（ｂ）は本発明に係るキーシステムの別の機能ブロック図である。
【図６】本発明に係る別のキーシステムの駆動手段を説明する図である。
【図７】従来型のキーシステム（イモビライザシステム）の断面図である。
【符号の説明】
１　キーシステム
２　キー部
３　キーシリンダ部
４　キー本体
５　手元部
６　トランスポンダ
７　キーシリンダ
８　キー孔
９　アンテナ
１０　開閉シャッター
１１　台座部
１２　上蓋部
１３　制御手段
１４　駆動手段
１５　バネ部
１６　バネ部
１７　照明装置
１８　モータ
１９　ギア
２０　キー部
２１　手元部
２２　キー本体
２３　キー側コイル（トランスポンダ）
３０　キーシリンダ部
３１　キー孔
３２　キーシリンダ側コイル（アンテナ）
４０　キーシリンダ部
【図１】
2004084249.tif 000003
【図２】
2004084249.tif 000004
【図３】
2004084249.tif 000005
【図４】
2004084249.tif 000006
【図５】
2004084249.tif 000007
【図６】
2004084249.tif 000008
【図７】
2004084249.tif 000009